(57)【特許請求の範囲】
【請求項１】
筒状部を有する本体と、前記筒状部の内側に環状の第１の薄肉部を介して接続された中栓とを備える容器蓋であって、
前記中栓は、表面から突出する引上部と、前記第１の薄肉部から前記引上部を取り囲むように湾曲状に延びて前記第１の薄肉部と共に前記中栓を螺旋状に切断可能に形成された第２の薄肉部と、前記第２の薄肉部の先端部よりも先端側に形成された第１の厚肉部とを備え、
前記中栓は、前記第１の薄肉部および第２の薄肉部の内側に沿うように形成されて前記第１の厚肉部に連接される第２の厚肉部と、前記第２の薄肉部における切断開始部の外側に沿って形成された第３の厚肉部とを更に備え、
前記第３の厚肉部は、前記第１の厚肉部には連接されていない容器蓋。
【発明の詳細な説明】
【技術分野】
【０００１】
本発明は、容器蓋に関し、より詳しくは、中栓を備える容器蓋に関する。
【背景技術】
【０００２】
従来の容器蓋として、特許文献１には、軟包装材料からなる袋状の容器に取り付けられるプルリング付きの取出口栓が開示されている。この取出口栓は、プルリングを引き上げることによりハーフカット溝で切取可能な中栓を備えており、中栓が螺旋状に引き上げられるようにハーフカット溝を形成することで、ウェットティッシュ容器等のように取出口が大きい場合でも、プルリングの繋ぎ部に作用する力を抑制してプルリングの切断防止が図られている。
【先行技術文献】
【特許文献】
【０００３】
【特許文献１】特開２００２−２２５９１１号公報
【発明の概要】
【発明が解決しようとする課題】
【０００４】
ところが、上記従来の取出口栓は、プルリングを引き上げる力や方向などによっては、ハーフカット溝とは異なる箇所で中栓が切断されることで、中栓の全体を取り除くことが困難になるおそれがあった。
【０００５】
そこで、本発明は、中栓を容易且つ確実に取り除くことができる容器蓋の提供を目的とする。
【課題を解決するための手段】
【０００６】
本発明の前記目的は、筒状部を有する本体と、前記筒状部の内側に環状の第１の薄肉部を介して接続された中栓とを備える容器蓋であって、前記中栓は、表面から突出する引上部と、前記第１の薄肉部から前記引上部を取り囲むように湾曲状に延びて前記第１の薄肉部と共に前記中栓を螺旋状に切断可能に形成された第２の薄肉部と、前記第２の薄肉部の先端部よりも先端側に形成された第１の厚肉部とを備え、前記中栓は、前記第１の薄肉部および第２の薄肉部の内側に沿うように形成されて前記第１の厚肉部に連接される第２の厚肉部と、前記第２の薄肉部における切断開始部の外側に沿って形成された第３の厚肉部とを更に備え、前記第３の厚肉部は、前記第１の厚肉部には連接されていない容器蓋により達成される。
【発明の効果】
【０００９】
本発明によれば、中栓を容易且つ確実に取り除くことができる容器蓋を提供することができる。
【図面の簡単な説明】
【００１０】
【図１】本発明の一実施形態に係る容器蓋の平面図である。
【図２】図１に示す容器蓋の正面図である。
【図３】図１に示す容器蓋のＡ部拡大図である。
【図４】図１に示す容器蓋の要部底面図である。
【発明を実施するための形態】
【００１１】
以下、本発明の実施の形態について、添付図面を参照して説明する。図１は、本発明の一実施形態に係る容器蓋の平面図である。図１に示すように、容器蓋１は、例えば合成樹脂からなり、円筒状の筒状部１１を有する本体１０と、筒状部１１を開閉する外蓋２０と、筒状部１１に設けられた中栓３０とを備えている。
【００１２】
本体１０は、筒状部１１の外周を支持する支持部１２と、支持部１２の周縁に嵌合壁１４を介して設けられたフランジ部１３とを備えており、全体として矩形状に形成されている。嵌合壁１４は、フランジ部１３から上方に突出するように枠状に設けられている。
【００１３】
外蓋２０は、内面側に二重リングからなる封止部２１を備えており、本体１０に対してヒンジ部２２を介して回動自在に取り付けられている。図１に示すように外蓋２０を開いた状態から閉じると、筒状部１１の先端が封止部２１の二重リングの隙間に嵌合して封止され、図２に正面図で示すように、嵌合壁１４の内側に外蓋２０が嵌合する。
【００１４】
中栓３０は、円板状に形成されており、環状の第１の薄肉部１５を介して筒状部１１の内側に接続されている。中栓３０は、上面側に設けられたプルリング等からなる引上部３１と、第１の薄肉部１５から引上部３１を取り囲むように湾曲状に延びる第２の薄肉部３２と、第２の薄肉部３２の先端部Ｔよりも先端側に形成された第１の厚肉部３３と、第１の薄肉部１５および第２の薄肉部３２の内側に沿うように形成された第２の厚肉部３４とを備えている。
【００１５】
第１の薄肉部１５および第２の薄肉部３２は、中栓３０の厚みが薄くなるように形成されたハーフカット線からなる。引上部３１を引き上げると、引上部３１の近傍における切断開始部Ｃから第２の薄肉部３２の切断が開始され、第２の薄肉部３２および第１の薄肉部１５に沿って切断が進行することにより、中栓３０を螺旋状に切断して筒状部１１から切り離すことができる。
【００１６】
図３は、図１に示す容器蓋１のＡ部拡大図である。図１および図３に示すように、第１の厚肉部３３および第２の厚肉部３４は、中栓３０の上面側にリブ状に形成されている。第１の厚肉部３３は、第２の薄肉部３２の先端部Ｔから、主として中栓３０の切断方向側（矢示Ｂ方向側）を覆うように、円弧状に形成されている。第２の厚肉部３４は、第１の薄肉部１５の内側全体に形成された環状部３４ａと、環状部３４ａを基端として第２の薄肉部３２の内側全体に形成された湾曲部３４ｂとを備えており、湾曲部３４ｂの先端が第１の厚肉部３３に連接されている。
【００１７】
上記の構成を備える容器蓋１は、図２に示すように、可撓性の包装袋などからなる容器５０の口部５１に下方から嵌合壁１４を挿入して突出させ、フランジ部１３の上面を口部５１の周縁に接着等で固定することができ、使用時には中栓３０を切除することにより、化粧シートやウェットティッシュ等の内容物を筒状部１１から取り出すことができる。中栓３０は、第２の薄肉部３２の先端部Ｔよりも先端側に第１の厚肉部３３が形成されているので、第２の薄肉部３２の先端方向に向けた切断を、第１の厚肉部３３で確実に遮断することができる。これにより、中栓３０が意図しない箇所で切断されるのを防止することができ、中栓３０を容易且つ確実に取り除くことができる。第２の薄肉部３２の先端部Ｔは第１の厚肉部３３に接していることが好ましいが、先端部Ｔから若干離れた位置に第１の厚肉部３３を設けてもよい。
【００１８】
また、第２の厚肉部３４が、第１の薄肉部１５および第２の薄肉部３２の内側に沿うように形成されることで、切り取られる中栓３０の周縁部を補強することができ、この第２の厚肉部３４が第１の厚肉部３３に連接されることで、第１の薄肉部１５および第２の薄肉部３２に沿って中栓３０をより確実に切断することができる。
【００１９】
本実施形態の中栓３０は、図４に底面図で示すように、下面にも第１の厚肉部３３が形成されている。第１の厚肉部３３は、中栓３０の上面または下面のいずれか一方のみに形成してもよい。中栓３０の下面には、第２の薄肉部３２における切断開始部Ｃの外側に沿って形成された第３の厚肉部３５が設けられており、これによって切断開始部Ｃからの中栓３０の切断をより確実に行うことができる。第２の厚肉部３４および第３の厚肉部３５についても、第１の厚肉部３３と同様に、中栓３０の上面および下面の一方または双方に形成することができる。
【符号の説明】
【００２０】
１  容器蓋
１０  本体
１１  筒状部
１５  第１の薄肉部
２０  外蓋
３０  中栓
３１  引上部
３２  第２の薄肉部
３３  第１の厚肉部
３４  第２の厚肉部
３５  第３の厚肉部
Ｔ  先端部
Ｃ  切断開始部
【要約】
【課題】  中栓を容易且つ確実に取り除くことができる容器蓋を提供する。
【解決手段】  筒状部１１を有する本体１０と、筒状部１１の内側に環状の第１の薄肉部１４を介して接続された中栓３０とを備える容器蓋１であって、中栓３０は、表面から突出する引上部３１と、第１の薄肉部１４から引上部３１を取り囲むように湾曲状に延びて第１の薄肉部１４と共に中栓３０を螺旋状に切断可能に形成された第２の薄肉部３２と、第２の薄肉部３２の先端部Ｔよりも先端側に形成された第１の厚肉部３３とを備える。
【選択図】  図１【図１】
0006847476.tif 000002
【図２】
0006847476.tif 000003
【図３】
0006847476.tif 000004
【図４】
0006847476.tif 000005